(57)【特許請求の範囲】
【請求項１】
遊技盤をセット保持した中枠の前面側に前記遊技盤の遊技領域に対応する窓口が開口形成された合成樹脂製の前枠を開閉回動可能に支持すると共に、同前枠の裏面側には前記窓口を透視保護し得る透明板が装備された支持枠を傾動開放可能に支持したパチンコ遊技機において、
前記前枠の裏面側における左右の側縁部のうち回動軸側の側縁部に、前記支持枠を支持するための一対の支持金具を、前記前枠に対して該側縁部の長手方向に沿って離間して固定し、該支持金具を介して前記支持枠を前記前枠に対して傾動開放可能に支持し、
前記前枠の裏面側には、その上側の側縁部に固定される支持部材と該支持部材に設けられた弾性変形可能なフックとで構成される開閉保持手段を配置し、前記支持枠に突設されたピンが前記フックと係合することにより前記支持枠を前記前枠に対して閉鎖状態に保持するように構成し、
前記支持枠における下側の枠部に、前記前枠に対して当該支持枠を固定手段により傾動開放不能に固定するための被固定部を形成する一方、前記前枠の裏面側における下側の側縁部に、帯状の金属板を折曲形成することにより断面コ字状に形成された前枠補強部材を前記下側の側縁部の長手方向に沿って配置し、該前枠補強部材の折返し部を折曲形成することにより形成された受圧部に前記支持枠における被固定部を前記固定手段により圧接し、
前記支持枠における下側の枠部の下面を、前記前枠補強部材を折曲形成することにより形成された折返し部の上面に当接させることで、前記前枠補強部材を前記支持枠の傾動ガイド支持手段として構成し、
前記両支持金具間には長尺状の金属板を折り曲げて断面クランク状に形成された金具間補強部材を配置し、該金具間補強部材の短手方向の一方側によって、金具間補強部材の長手方向に亘って前記前枠側へ突出する突出部が構成され、
前記支持金具を配置した側縁部に、その長手方向に沿って前記突出部の長手方向の長さと同じ長さの複数の第１リブを形成するとともに該複数の第１リブの間隔を前記突出部の短手方向の長さと同じ長さに形成し、前記複数の第１リブの間に前記第１リブに直交する方向に沿って複数の第２リブを形成し、前記第１リブを前記第２リブよりも裏方側に、前記突出部の突出長と同じ長さ突出するように形成することで、前記複数の第１リブの間に前記前枠補強部材の前記突出部が嵌合されて該前枠補強部材の位置ズレが規制される溝部を形成したパチンコ遊技機。
【発明の詳細な説明】
【０００１】
【発明の属する技術分野】
本発明は、合成樹脂製の前枠を備えるパチンコ遊技機に関するものである。
【０００２】
【従来の技術】
パチンコ機やアレンジボール機に代表されるこの種の遊技機では、外枠の開口前面に、遊技領域を構成した遊技盤、前枠、上下の球皿、打球発射装置、裏側の機構セット盤等の多くの遊技用構成部材を設置した中枠が開閉及び着脱可能に取付けられて１台単位とされている。このような遊技機において、従来、パチンコ遊技機のガラス保持枠として機能する前枠は、金属製であることが一般的であったが、近時においては遊技機前面側の装飾効果を図る等の目的から、合成樹脂製の前枠が主流になってきている。
【０００３】
前記前枠は、遊技盤の遊技領域に対応する窓口を有し、合成樹脂製の扉枠用の前枠本体と、前枠本体の内側（裏側）に着脱及び傾動開放可能に組み付けセットされるガラス支持用の金属製の支持枠とからその概略は構成されている。そして、同支持枠の所定部位に設けられた複数のピンを、枠本体側に設けられ合成樹脂等の弾性素材からなる複数のフックに対して、同フックの弾性変形を利用してそれぞれ係合させることにより、前記支持枠を前枠本体に対して密接した状態、即ち、閉鎖状態に保持するようにしていた。
【０００４】
【発明が解決しようとする課題】
ところで、前記前枠本体を合成樹脂とした近時においては、金属製の場合に比して剛性が劣る。これに対して、前枠本体にはその裏面側に剛性が高い金属性の支持枠が設けられているが、上述したような従来においては、前枠本体に対して支持枠は前記フックと係止ピンとが弾性的に係合することにより保持されていたため、前記支持枠と前枠本体の間に僅かな隙間が形成され、ガタ付きが発生してしまう。この結果、前記支持枠は合成樹脂製前枠の補強部材とはされず、外力を加えられると前枠本体が撓んでしまい、同前枠本体と中枠との間に隙間ができてしまうことがあった。そして、このような隙間からピアノ線が挿入されることにより、不正行為が行われてしまうという問題を有していた。
【０００５】
本発明は上記問題点を解決するためになされたものであり、その目的は、パチンコ遊技機における合成樹脂製前枠の補強を低コストで且つ容易に図り得ることができるパチンコ遊技機を提供することにある。
【０００６】
【課題を解決するための手段】
上記問題点を解決するために、請求項１に記載の発明は、遊技盤をセット保持した中枠の前面側に前記遊技盤の遊技領域に対応する窓口が開口形成された合成樹脂製の前枠を開閉回動可能に支持すると共に、同前枠の裏面側には前記窓口を透視保護し得る透明板が装備された支持枠を傾動開放可能に支持したパチンコ遊技機において、前記前枠の裏面側における左右の側縁部のうち回動軸側の側縁部に、前記支持枠を支持するための一対の支持金具を、前記前枠に対して該側縁部の長手方向に沿って離間して固定し、該支持金具を介して前記支持枠を前記前枠に対して傾動開放可能に支持し、前記前枠の裏面側には、その上側の側縁部に固定される支持部材と該支持部材に設けられた弾性変形可能なフックとで構成される開閉保持手段を配置し、前記支持枠に突設されたピンが前記フックと係合することにより前記支持枠を前記前枠に対して閉鎖状態に保持するように構成し、前記支持枠における下側の枠部に、前記前枠に対して当該支持枠を固定手段により傾動開放不能に固定するための被固定部を形成する一方、前記前枠の裏面側における下側の側縁部に、帯状の金属板を折曲形成することにより断面コ字状に形成された前枠補強部材を前記下側の側縁部の長手方向に沿って配置し、該前枠補強部材の折返し部を折曲形成することにより形成された受圧部に前記支持枠における被固定部を前記固定手段により圧接し、前記支持枠における下側の枠部の下面を、前記前枠補強部材を折曲形成することにより形成された折返し部の上面に当接させることで、前記前枠補強部材を前記支持枠の傾動ガイド支持手段として構成し、前記両支持金具間には長尺状の金属板を折り曲げて断面クランク状に形成された金具間補強部材を配置し、該金具間補強部材の短手方向の一方側によって、金具間補強部材の長手方向に亘って前記前枠側へ突出する突出部が構成され、前記支持金具を配置した側縁部に、その長手方向に沿って前記突出部の長手方向の長さと同じ長さの複数の第１リブを形成するとともに該複数の第１リブの間隔を前記突出部の短手方向の長さと同じ長さに形成し、前記複数の第１リブの間に前記第１リブに直交する方向に沿って複数の第２リブを形成し、前記第１リブを前記第２リブよりも裏方側に、前記突出部の突出長と同じ長さ突出するように形成することで、前記複数の第１リブの間に前記前枠補強部材の前記突出部が嵌合されて該前枠補強部材の位置ズレが規制される溝部を形成したことを要旨とする。
【０００９】
【発明の実施の形態】
以下、本発明を具体化した一実施形態を図１〜図１０に従って説明する。
なお、以下の説明において、「左」又は「右」は、パチンコ遊技機を表側から見た場合の「左」又は「右」を示すものとする。
【００１０】
本実施形態のパチンコ遊技機（以下、「遊技機」という。）は、その基本的構成の概要として、図１に略示するように、機体の外郭をなす縦長方形の外枠１１の開口前面側に、各種の遊技用構成部材をセットする縦長方形の中枠１２が開閉及び着脱可能に組付けられている。そして、この中枠１２の前面側に、遊技領域となる遊技盤１３の透視保護窓である前枠１４と上球皿１５とが個々の連結支持手段等を利用して共に横開き形態で開閉可能に組み付け整合されている。一方、中枠１２の下部には下球皿１６及び打球発射装置１７等が装着セットされており、また中枠１２の裏側には各種の球経路及び球処理・払出部等を備えた機構セット盤がセットされている。なお、図中１８は球貸しシステムに利用されるカードユニットを示す。また、遊技機の搭載枠とされる中枠１２の右縁部には施錠装置２０が設けられており、施錠装置２０には、同施錠装置２０の前面側を覆うように枠飾り２０ａが取着されている。
【００１１】
ここで、前記中枠１２に組付けられる前枠１４について詳しく説明する。
前枠１４は、中枠１２に対して横開き形態とされていて、その基本的な構成は、図２及び図３に示すように、全体が合成樹脂にて方形状に形成され、中央部にほぼ円形状の窓口２１を有する扉枠用の枠本体２２と、剛性を有する金属にて形成され、前記枠本体２２の内側（窓口２１の裏側）に着脱及び傾動開放可能に組付けセットされるガラス支持用の支持枠２３とが主体とされている。そして、前記支持枠２３に方形の透明板としての板ガラス２４（２枚）が挿入配置され、前枠１４は全体が１つに取扱可能なフレームレス透視窓として構成されると共に、１つの窓部材として容易に取扱い、保管、移送ができるようになっている。
【００１２】
図４及び図５に示すように、前記枠本体２２における裏面左側縁部の上下各端部には、第１及び第２連結支持具２６，２７が設けられている。そして、図６に示すように、前記中枠１２の左上端部に設けられた支持片３１の支持孔３１ａと、前記第１連結支持具２６における支軸３２とが嵌挿連結されている。また、中枠１２の左中段部に設けられた支持片３３から突出する支軸３３ａと、前記第２連結支持具２７における軸孔３４とが嵌挿連結されている。この結果、枠本体２２が前記第１及び第２連結支持具２６，２７を介して中枠１２に回動可能に支持される。
【００１３】
一方、図１及び図４に示すように、前記枠本体２２の正面右側縁中央には凹部２５が形成されている。前記凹部２５は前記施錠装置２０の枠飾り２０ａが枠本体２２の閉鎖時に嵌合係止する形態とされており、その嵌合係止状態において前記枠飾り２０ａが枠本体２２を施錠前において仮支えするようになっている。そして、前記第１及び第２連結支持具２６，２７と前記施錠装置２０が利用され、前枠１４は中枠１２に対して開閉及び着脱が可能に組付けセットされるようになっている。
【００１４】
ここで、前記第１及び第２連結支持具２６，２７についてさらに詳しく説明する。
前記第１連結支持具２６は、図６に示すように、金属板から成形された支持具本体３７が枠本体２２の裏側の左上隅部に設けられた複数のボス部（図示しない）に対して複数のネジ３８が装着されることによりネジ止め固定されている。そして、支持具本体３７の上部には前記支軸３２を嵌挿支持するための軸筒部３９が形成されると共に、支持具本体３７の下部には、後述する支持枠２３における支持片６１の軸孔６１ａ（図３参照）と対応する支持ピン４０が枠本体２２の内方側に位置して前記支軸３２とは異なる縦中心線上に設けられている。即ち、前記第１連結支持具２６は枠本体２２に対する支持手段と支持枠２３に対する支持手段を兼用している。なお、前記軸筒部３９に嵌挿支持される支軸３２は、軸筒部３９から下方に突出する基端部が内方に曲折されており、その基端部に、上端がネジ止めされたバネ４１の下端が係着されている。この結果、前記支軸３２はバネ４１の付勢力により、常には先端部が軸筒部３９から上方へ突出するように構成されている。
【００１５】
前記第２連結支持具２７は、金属板から成形された支持具本体４３が枠本体２２の裏側の左下隅部に設けられた複数のボス部（図示しない）に対して複数のネジ４４が装着されることによりネジ止め固定されている。そして、支持具本体４３の下部には前記軸孔３４を穿設した支持片４５（図６にのみ図示する）が折曲形成されると共に、支持具本体４３の上部には、後述する支持枠２３における支持片６２の軸孔６２ａ（図３参照）と対応する支持ピン４６が枠本体２２の内方側に位置して前記軸孔３４とは異なる縦中心線上に設けられている。即ち、前記第２連結支持具２７は枠本体２２に対する支持手段と支持枠２３に対する支持手段を兼用している。そして前記第１連結支持具２６における支持ピン４０と第２連結支持具２７における支持ピン４６は鉛直方向に延びる同一軸線上に位置している。
【００１６】
前記第１及び第２連結支持具２６，２７間における枠本体２２の左側縁部には、図３〜図５に示すように、上下方向に延びる２つの第１リブ５１が一体形成されていると共に、同第１リブ５１に直交する複数の第２リブ５２が一体形成されている。前記第１リブ５１は第２リブ５２よりも枠本体２２の裏側方に突出しており、両リブ５１，５２間には複数のボス部５３が形成されている。なお、枠本体２２における上下縁部及び右縁部にも適宜補強リブ５０が一体形成されている。
【００１７】
前記第１及び第２連結支持具２６，２７間には、第１補強片５４が設けられている。前記第１補強片５４は、枠本体２２の左側縁部に沿って、直線状に延び、その上端部が第１連結支持具２６を固定する複数のネジ３８のうち下部に位置する１つのネジ３８ａにて第１連結支持具２６と共締めされている。また、第１補強片５４の下端部は、第２連結支持具２７を固定する複数のネジ４４のうち上部に位置する１つのネジ４４ａにて第２連結支持具２７と共締めされている。さらに、第１補強片５４は、枠本体２２のリブ５１，５２間における複数のボス部５３に対応するように装着されたネジ５５によっても固定されている。
【００１８】
ここで、前記第１補強片５４について説明すると、第１補強片５４は第１及び第２連結支持具２６，２７間に亘って枠本体２２の左側縁部を覆うように帯状の金属板から成形されており、図７に示すように、その長手方向に沿う複数の折曲線部分で折り曲げることにより断面略クランク状に形成されている。そして、この折曲形成により、第１補強片５４はその長手方向に亘って枠本体２２側へ突出する突出部５６を有している。前記突出部５６の長手方向の長さは前記第１リブ５１の長手方向の長さとほぼ同一とされており、前記突出部５６は枠本体２２の第１リブ５１間における溝５８に嵌合されている。
【００１９】
図３及び図５に示すように、枠本体２２の内側に備えられる支持枠２３は軽量金属材により組立構成されており、ガラス横入れ形態とされている。そして、前後２枚の板ガラスを挿入セット可能にレール枠状に成形された枠部としての上下及び左枠杆２３ａ〜２３ｃと、右側の補強支杆２３ｄとが直角に枠組連結されて方形のガラス枠として構成されており、前記各枠杆２３ａ〜２３ｃ及び支杆２３ｄがなす開口面（ガラスの透視面）は前記枠本体２２の窓口２１より適宜広く形成されている。
【００２０】
前記枠本体２２に対する支持枠２３の組付けについては、図２に示すように、前記第１及び第２連結支持具２６，２７、開閉保持機構６５、ロック機構６６、及び前枠補強部材としての第２補強片７５が利用されている。詳述すると、左枠杆２３ｃの外面における長手方向のほぼ中間位置に上下一対の支持片６１，６２が水平方向へ突設され、各支持片６１，６２に前記両連結支持具２６，２７の各支持ピン４０，４６に対応する軸孔６１ａ，６２ａが形成されている。即ち、両軸孔６１ａ，６２ａは鉛直方向へ延びる同一軸線上に位置している。このため、支持枠２３は前記各支持片６１，６２の軸孔６１ａ，６２ａを前記各支持ピン４０，４６に連結することにより、前記枠本体２２の裏側に前後への横開き傾動及び上下への着脱が可能に支持される。
【００２１】
また、図８に示すように、枠本体２２の右裏側上部と前記上枠杆２３ａの右端部との間に配置された開閉保持機構６５は支持枠２３の傾動案内及び開放規制を許容し、さらに、支持枠２３を閉鎖状態に保持する形態とされている。即ち、枠本体２２に固定される支持部材６７には可動規制部材６８の基端部が水平回動自在に支持され、この可動規制部材６８の先端部に、前方から切欠き形成された長溝６９内には、前記上枠杆２３ａに突設されたピン７０が嵌挿されている。そして、可動規制部材６８の先端部における操作片６８ａを摘んで、同可動規制部材６８を前後方向へ揺動させると、前記ピン７０が長溝６９に沿って摺動案内され、これに伴って、支持枠２３が傾動案内されるようになっている。さらに、前記支持部材６７には、前記ピン７０と弾性的に係合可能とされ、合成樹脂等の弾性素材からなるフック７１が設けられている。
【００２２】
また、枠本体２２の右裏側下部と補強支杆２３ｄの下端部との間に配置されたロック機構６６は、枠本体２２に固定され、前記フック７１と同形状のフック７２と、同フック７２に相対して、前記補強支杆２３ｄに設けられたピン７３とから構成されている。この結果、支持枠２３では、前記支持片６１，６２を支点として、枠本体２２方向への回動変位に伴い、各ピン７０，７３が枠本体２２側の各フック７１，７２に干渉し、これらの各フック７１，７２を弾性変形させ、その変形後の弾性復帰により両者７０〜７３が互いに係止することにより、枠本体２２に重合された状態、即ち、閉鎖状態に保持される。
【００２３】
図５に示すように、支持枠２３の傾動動作の中心軸線方向、即ち、同支持枠２３の軸孔６１ａ，６２ａの軸線方向と直交する方向（水平方向）に延びる枠本体２２の下側縁部にはその長手方向に沿って複数のボス部７６が一体形成されている。そして、前記下側縁部の長手方向に沿うように直線状に形成された第２補強片７５が、複数のネジ７７を各ボス部７６に装着することによりネジ止め固定されている。
【００２４】
ここで、前記第２補強片７５について更に詳しく説明すると、図４、図９及び図１０に示すように、第２補強片７５は枠本体２２の下側縁部を覆うように帯状の金属板から成形されており、断面コ字状に折曲形成されている。コ字状に形成された第２補強片７５のうち支持枠２３側（上側）に位置する部位は折返し部７５ａとされ、同折返し部７５ａの上面は前記支持枠２３における下枠杆２３ｂの下面に当接している。また、折返し部７５ａにおける長手方向のほぼ中間位置には一対の受圧部としての受止め片７８が下方へ折曲形成されている。そして、前記受止め片７８が折返し部７５ａにおいて折曲げ形成されることにより、前記折返し部７５ａには案内溝７９が形成されている。
【００２５】
一方、支持枠２３における下枠杆２３ｂの下面には２個の被固定部としての突片８０が下方へ一体形成されている。前記突片８０は第２補強片７５の受止め片７８に相対して形成されており、第２補強片７５の案内溝７９よりも僅かに幅狭に形成されている。この結果、支持枠２３が傾動動作する際には、同支持枠２３は、突片８０が前記案内溝７９に挿入されると共に、前記折返し部７５ａの上面にて支持ガイドされる。即ち、前記第２補強片７５は支持枠２３が傾動する際の傾動ガイド支持手段を構成している。
【００２６】
また、前記突片８０を介して受止め片７８には固定手段としてのネジ８１が装着されており、同ネジ８１により突片８０は前記受止め片７８に対して圧接されている。この結果、突片８０を有する下枠杆２３ｂは、受止め片７８を有する第２補強片７５に固定されている。即ち、前記支持枠２３は枠本体２２に対して傾動開放不能に固定されている。
【００２７】
次に、上記のように構成されたパチンコ遊技機の作用を説明する。
まず、工場等での、前枠１４の組立段階において、第１及び第２連結支持具２６，２７が既に組みつけられた枠本体２２に第１補強片５４、第２補強片７５及び支持枠２３を取付ける場合について説明する。
【００２８】
第１補強片５４に関しては、第１及び第２連結支持具２６，２７とネジ３８ａ，４４ａにて共締めすると共に、第１補強片５４の長手方向に沿ってさらに複数のネジ５５にてネジ止め固定する。
【００２９】
また、第２補強片に関しては、枠本体２２の下側縁部にネジ止め固定する。そして、支持枠２３に関しては、まず、左枠杆２３ｃにおける支持片６１，６２の軸孔６１ａ，６２ａを第１及び第２連結支持具２６，２７における支持ピン４０，４６に連結し、さらに、枠本体２２の右裏側上部の開閉保持機構６５における可動規制部材６８に形成された長溝６９にピン７０を嵌挿する。その後、支持枠２３を前記軸孔６１ａ，６２ａ及び支持ピン４０，４６を支点として、枠本体２２方向に傾動させ、支持枠２３における下枠杆２３ｂの下面と突片８０とを、第２補強片７５における折返し部７５ａの上面と案内溝７９にてガイドさせながら、閉鎖状態へ位置させる。そして、支持枠２３の上枠杆２３ａ及び補強支杆２３ｄにおけるピン７０，７３を枠本体２２側のフックに弾性的に係止させる。すると、前記下枠杆２３ｂの突片８０が第２補強片７５の受止め片７８に当接され、この状態で受止め片７８に対して突片８０をネジ止めする。この結果、支持枠２３は第２補強片７５を介して枠本体２２に密接に重合された状態で傾動開放不能に固定される。
【００３０】
次に、遊技場でこの前枠１４が使用される場合において説明する。
前枠１４の裏面においては、枠本体２２に固定された第２補強片７５に対して、金属製であり且つ方形状の支持枠２３が圧接固定されている。この結果、同支持枠２３は枠本体２２に対して密着した状態とされ、枠本体２２の上下左右の各側縁部に対して、各枠杆２３ａ〜２３ｃ及び支杆２３ｄにて補強がなされる。また一方で、第２補強片７５の受止め片７８と支持枠２３の突片８０がネジ８１により圧接固定されることにより、枠本体２２と支持枠２３との間に、隙間が発生してガタ付いたりすることもない。
【００３１】
そして、前記支持枠２３に加えて、不正行為が行われ易い枠本体２２の左側縁部及び下側縁部には剛性の高い金属製の第１及び第２補強片５４，７５が固定されているため、さらに枠本体２２は前記両補強片５４，７５にて補強がなされる。また、枠本体２２の裏面における各側縁部には第１及び第２リブ５１，５２をはじめとして、適宜補強リブ５０が形成されており、これらによっても、枠本体２２の補強はなされ、その撓みは防止される。従って、たとえ外力が加えられたとしても前枠１４と中枠１２の間に隙間が形成されることはなく、その隙間を利用して不正行為が行われることもない。
【００３２】
従って、上記実施形態によれば、以下のような効果を得ることができる。
（１）上記実施形態では、板ガラス２４を挿入配置するために従来から備えられていた方形状であり且つ金属製の支持枠２３を枠本体２２に対して圧接固定することにより、合成樹脂製の前枠１４の上下左右の全ての側縁部に対して補強がなされる。従って、新たに補強のために上下左右の側縁部に対して別部材を設ける場合と比較して、低コストで前枠１４の撓みに対する補強ができる。
【００３３】
（２）また、支持枠２３の下部に設けられた突片８０を枠本体２２に固定された第２補強片７５の受止め片７８にネジ８１にて圧接固定することにより、支持枠２３は枠本体２２に密着した状態で固定される。従って、前記受止め片７８、突片８０、ネジ８１により、前枠１４の撓みに対する補強を容易に図り得ることができる。さらに、突片８０と受止め片７８とをネジ８１で固定せずに、開閉保持機構６５及びロック機構６６におけるピン７０，７３とフック７１，７２のみで支持枠２３を固定する従来と異なり、枠本体２２と支持枠２３との間に隙間ができたりして支持枠２３がガタ付くことはない。
【００３４】
（３）上記実施形態では、枠本体２２の下側縁部に長尺状であり、金属製の第２補強片７５が設けられているため、枠本体２２に外力が加えられて不正行為が行われ易い合成樹脂製の前枠１４下部の撓みに対する補強を確実にできる。
【００３５】
（４）上記実施形態では、支持枠２３を傾動させる際は、第２補強片７５における折返し部７５ａの上面と、案内溝７９にて前記支持枠２３はガイドされるため、容易に第２補強片７５の受止め片７８に対して支持枠２３の突片８０を位置合わせできる。
【００３６】
（５）上記実施形態では、枠本体２２の上下左右の側縁部には適宜リブ５０〜５２を設けたため、更に前枠１４の撓みに対する補強ができる。
なお、上記実施形態は以下のような別例に変更して具体化してもよい。
【００３７】
・上記実施形態では、枠本体２２を補強するために、支持枠２３の他に１補強片５４と第２補強片７５が設けられていたが、第１補強片５４及び第２補強片を設けなくてもよい。このようにしても、前記支持枠２３のみで枠本体２２を確実に補強できると共に、第１及び第２補強片５４，７５を除くことで、さらに低コストで枠本体２２の補強を行うことができる。
【００３８】
・上記実施形態では、第２補強片５４は、断面コ字状に形成したが、平板状に形成してもよい。
・上記実施形態では、支持枠２３を枠本体２２に固定するための突片８０と受止め片７８をそれぞれ、支持枠２３の下枠杆２３ｂと枠本体２２の下側縁部に配置された第２補強片７５に設けたが、前記突片８０を支持枠２３の上枠杆２３ａ又は反連結支持具２６，２７側に位置する補強支杆２３ｄに設け、受止め片７８を有する第２補強片７５を枠本体２２の上側縁部又は右側縁部に配置してもよい。また、前記受止め片７８を第２補強片７５に設けずに、枠本体２２に直接設けてもよい。
【００３９】
・上記実施形態では、支持枠２３を傾動させる際は、同支持枠２３は第２補強片７５にてガイドされるように構成していたが、第２補強片７５を支持枠２３から離間させて支持枠２３をガイドさせない構成にしてもよい。
【００４０】
・上記実施形態では、支持枠２３には板ガラス２４を挿入配置したが、透明なプラスチック板を用いてもよい。この場合、前記プラスチック板が透明板に相当する。
【００４１】
【発明の効果】
以上詳述したように、請求項１の発明によれば、支持枠を被固定部と受圧部を用いて固定手段にて前枠に圧接することによって、パチンコ遊技機における合成樹脂製前枠の補強を低コストで且つ容易に図り得ることができる。
【００４２】
また、前枠補強部材により、さらに前枠を補強できる。
さらに、前枠補強部材が支持枠の傾動ガイド支持手段とされているため、容易に補強部材に対して支持枠を傾動セットできる。
【図面の簡単な説明】
【図１】本発明の一実施形態に係るパチンコ遊技機を示す正面図。
【図２】同じく前枠を裏面側から示す斜視図。
【図３】同じく前枠を裏面側から示す分解斜視図。
【図４】同じく前枠を示す背面図。
【図５】同じく前枠を構成する各部材を示す背面図。
【図６】同じく中枠に対する前枠の組付け状態を示す一部省略側断面図。
【図７】同じく第１補強片を示す断面図。
【図８】同じく支持枠の前枠に対する組付け機構を示す斜視図。
【図９】同じく前枠補強部材を示す斜視図。
【図１０】同じく前枠補強部材を示す背面図。
【符号の説明】
１２…中枠、１３…遊技盤、１４…前枠、２１…窓口、２３…支持枠、２３ｂ…下枠杆（所定の枠部）、２４…板ガラス（透明板）、８１…ネジ（固定手段）、７５…第２補強片（前枠補強部材）、７８…受止め片（受圧部）、８０…突片（被固定部）。
【図１】
0004641335.tif 000002
【図２】
0004641335.tif 000003
【図３】
0004641335.tif 000004
【図４】
0004641335.tif 000005
【図５】
0004641335.tif 000006
【図６】
0004641335.tif 000007
【図７】
0004641335.tif 000008
【図８】
0004641335.tif 000009
【図９】
0004641335.tif 000010
【図１０】
0004641335.tif 000011